(57)【要約】【課題】              車両に専用の撮影機器や、面倒な設置作業、設定作業を不要とし、必要とする情報が容易に取得できるシステム及び方法の提供。【解決手段】  映像情報を要求する端末２から、映像送受信システム８にアクセスして、指定地域を入力し、映像送受信システム８は指定地域にあり、車両に搭載されるカメラ付き携帯無線端末３、４を検索し、検索結果を要求元の端末２に送信し、映像送受信システム８は、要求元の端末で選択されたカメラ付き携帯無線端末に対して、制御信号を送信して、前記カメラ付き携帯無線端末に、要求元の端末２へ映像情報を送信させる。【選択図】            図１
2005173784.tif 000002
【特許請求の範囲】
【請求項１】
映像情報を要求するユーザの端末（「要求元の端末」という）から、映像送受信システムにアクセスして検索対象の地域を指定するステップと、
前記映像送受信システムは、前記検索対象の指定地域にある、移動体に搭載されるカメラ付き携帯無線端末を検索し、検索結果を、前記要求元の端末に送信するステップと、
前記要求元の端末は、前記映像送受信システムから送信された検索結果の中からカメラ付き携帯無線端末を選択するステップと、
前記映像送受信システムは、前記要求元の端末で選択された前記カメラ付き携帯無線端末に対して制御信号を送信するステップと、
前記映像送受信システムからの前記制御信号を受け取った前記カメラ付き携帯無線端末が、前記要求元の端末に対して、前記カメラ付き携帯無線端末のカメラで撮影される映像情報を送信するステップと、
を含む、ことを特徴とする、映像情報配信方法。
【請求項２】
前記カメラ付き携帯無線端末で撮影された映像情報が、前記要求元の端末にリアルタイムで伝送されて前記要求元の端末の表示画面に表示される、ことを特徴とする、請求項１記載の映像情報配信方法。
【請求項３】
前記映像送受信システムは、検索結果を、前記要求元の端末に送信するにあたり、検索されたカメラ付き携帯無線端末を、地図情報と合成して送信し、
前記要求元の端末の表示画面には、前記映像送受信システムから送信された前記地図が表示され、検索されたカメラ付き携帯無線端末がどこにいるか、前記地図上に表示される、ことを特徴とする、請求項１記載の映像情報配信方法。
【請求項４】
前記映像送受信システムは、検索結果を、前記要求元の端末に送信するにあたり、検索されたカメラ付き携帯無線端末を、地名及び／又は場所名情報とともに送信し、
前記要求元の端末は、前記映像送受信システムから送信された検索結果を、表示画面に表示する、ことを特徴とする、請求項１記載の映像情報配信方法。
【請求項５】
前記要求元の端末が、移動体通信網を介して前記カメラ付き携帯無線端末と通信する携帯無線端末である、ことを特徴とする、請求項１記載の映像情報配信方法。
【請求項６】
前記映像送受信システムは、前記携帯無線端末、前記カメラ付き携帯無線端末の位置情報を、前記映像送受信システム内のデータベースで記録管理する、ことを特徴とする、請求項５記載の映像情報配信方法。
【請求項７】
前記映像送受信システムは、前記映像送受信システムからの撮影開始制御信号を受信して映像を送信できる状態にあるカメラ付き携帯無線端末を搭載した前記移動体の現在位置を、前記要求元の端末に送信する、ことを特徴とする、請求項１記載の映像情報配信方法。
【請求項８】
前記移動体に配設され電源供給機能を備えたホルダに、前記カメラ付き携帯無線端末が設置されると、前記カメラ付き携帯無線端末は、前記ホルダに装着されていることを検出して、前記カメラ付き携帯無線端末のカメラによる撮影を行い、
前記カメラ付き携帯無線端末は、前記映像送受信システムからの前記制御信号を受信すると、前記要求元の端末に対して、前記カメラで撮影した映像を送信する、ことを特徴とする、請求項１記載の映像情報配信方法。
【請求項９】
撮影した映像を記録及び送信するカメラ部と、
携帯無線端末を収容するホルダに装着されたか否かを検出する検出手段と、
前記ホルダへの装着が検出されている状態で、映像送受信システムから無線基地局を介して送信される所定の制御信号を受信すると、前記カメラ部で撮影した映像を指定された端末宛てに送信するように制御する制御手段と、
を備えている、ことを特徴とする携帯無線端末。
【請求項１０】
それぞれが、カメラを具備し、撮影した映像を記録及び送信する機能を備えた１つ又は複数のカメラ付き携帯無線端末と、
映像情報を要求し、受信した映像情報を表示部に表示する少なくとも１つの端末（「要求元の端末」という）と、
前記端末及び前記カメラ付き携帯無線端末とそれぞれ無線通信する複数の基地局を含む移動体通信網を介して通信接続する映像送受信システムと、
を備え、
前記映像情報を要求するユーザは前記端末から、前記映像送受信システムにアクセスして検索対象の指定地域を入力し、
前記映像送受信システムは、
前記検索対象の指定地域にあり、移動体に搭載される前記カメラ付き携帯無線端末を検索し、検索結果を、前記要求元の端末に送信する手段と、
前記要求元の端末で選択された前記カメラ付き携帯無線端末に対して、制御信号を送信し、前記カメラ付き携帯無線端末に対して、前記要求元の端末への映像情報の送信を指示する制御を行う手段と、
を備え、
前記カメラ付き携帯無線端末で撮影した映像が前記要求元の端末に送信される、ことを特徴とする、映像情報配信システム。
【請求項１１】
前記カメラ付き携帯無線端末で撮影された映像情報が、前記要求元の端末にリアルタイムに伝送されて前記要求元の端末の表示画面に表示される、ことを特徴とする、請求項１０記載の映像情報配信システム。
【請求項１２】
前記映像送受信システムは、前記カメラ付き携帯無線端末から送信される位置情報を受信し、前記カメラ付き携帯無線端末の位置情報として記憶管理する記憶手段を備えている
、ことを特徴とする、請求項１０記載の映像情報配信システム。
【請求項１３】
前記映像送受信システムは、地図情報を格納する記憶手段を備え、
前記カメラ付き携帯無線端末の検索結果を、前記要求元の端末に送信するにあたり、検索されたカメラ付き携帯無線端末の位置を、前記カメラ付き携帯無線端末が位置する地域を含む地図情報と合成し、合成した地図情報を、前記要求元の端末に送信する手段を備え、
前記要求元の端末では、前記映像送受信システムから送信された地図情報を表示画面に表示し、前記表示画面において、検索されたカメラ付き携帯無線端末の位置が前記地図上に表示される、ことを特徴とする、請求項１０又は１２記載の映像情報配信システム。
【請求項１４】
前記映像送受信システムは、検索結果を、前記要求元の端末に送信するにあたり、検索結果のカメラ付き携帯無線端末を、地名及び／又は場所名情報とともに送信する手段を備え、
前記要求元の端末は、前記映像送受信システムから送信された検索結果を表示画面に表示する、ことを特徴とする、請求項１０又は１２記載の映像情報配信システム。
【請求項１５】
前記映像送受信システムは、前記映像送受信システムからの制御信号を受信して映像を送信できる状態にあるカメラ付き携帯無線端末を搭載した移動体の現在位置を、検索結果として、前記要求元の端末に送信する、ことを特徴とする、請求項１０記載の映像情報配信システム。
【請求項１６】
前記要求元の端末が、移動体通信網を介して前記カメラ付き携帯無線端末と通信する携帯無線端末である、ことを特徴とする、請求項１０乃至１５のいずれか一に記載の映像情報配信システム。
【請求項１７】
カメラを具備し、撮影した映像を記録及び送信する機能を備えた１つ又は複数のカメラ付き携帯無線端末と、
表示部を備え、映像情報を要求するユーザが所持する少なくとも１つの端末（「要求元の端末」という）と、それぞれ無線リンクで通信する複数の基地局を含む移動体通信網を介して通信接続する映像送受信サーバ装置であって、
前記映像情報を要求するユーザの前記携帯無線端末から入力された検索対象の指定地域を受け取り、前記検索対象の指定地域にあり、車両に搭載されるカメラ付き携帯無線端末を検索する手段と、
前記検索結果を、前記要求元の端末に送信する手段と、
前記要求元の端末で選択された前記カメラ付き携帯無線端末に対して、制御信号を送信して、前記カメラ付き携帯無線端末に前記要求元の携帯無線端末に映像情報を送信させるように制御する手段と、
を備えている、ことを特徴とする映像送受信サーバ装置。
【請求項１８】
前記カメラ付き携帯無線端末から送信される位置情報を受け取り、前記カメラ付き携帯無線端末の位置情報として記憶管理する記憶手段を備えている、ことを特徴とする、請求項１７記載の映像送受信サーバ装置。
【請求項１９】
地図情報を格納する記憶手段を備え、
前記検索結果を、前記要求元の端末に送信するにあたり、検索された携帯無線端末の位置を、携帯無線端末が存在する位置に対応する地図情報と合成して送信する手段を備えている、ことを特徴とする、請求項１７又は１８記載の映像送受信サーバ装置。
【請求項２０】
前記検索結果を、前記要求元の端末に送信するにあたり、検索結果の携帯無線端末を、地名及び／又は場所名情報とともに送信する手段を備えている、ことを特徴とする、請求項１７又は１８記載の映像送受信サーバ装置。
【請求項２１】
前記映像送受信システムからの制御信号を受信して映像を送信できる状態にあるカメラ付き携帯無線端末を搭載した移動体の現在位置を、前記要求元の端末に送信する、ことを特徴とする、請求項１７記載の映像送受信サーバ装置。
【請求項２２】
前記要求元の端末が、移動体通信網を介して前記カメラ付き携帯無線端末と通信する携帯無線端末である、ことを特徴とする、請求項１７乃至２１のいずれか一に記載の映像送受信サーバ装置。
【請求項２３】
カメラを具備し、撮影した映像を記録及び送信する機能を備えた１つ又は複数のカメラ付き携帯無線端末と、
表示部を備え、映像情報を要求するユーザが所持する少なくとも１つの端末と、それぞれ無線リンクで通信する基地局を含む移動体通信網を介して通信接続する映像送受信サーバ装置を構成するコンピュータに、
前記映像情報を要求するユーザの前記携帯無線端末から入力された検索対象の指定地域を受信し、前記検索対象の指定地域にあり、移動体に搭載されるカメラ付き携帯無線端末を検索する処理と、
検索結果を、前記要求元の端末に送信する処理と、
前記要求元の端末で選択された前記カメラ付き携帯無線端末に対して、制御信号を送信して、前記カメラ付き携帯無線端末に前記要求元の端末に映像情報を送信させるように制御する処理と、
を実行させるプログラム。
【請求項２４】
請求項２３記載のプログラムにおいて、
前記カメラ付き携帯無線端末から送信される位置情報を受信し、前記カメラ付き携帯無線端末の位置情報としてデータベースで記憶管理する処理を前記コンピュータに実行させるプログラム。
【請求項２５】
請求項２３記載のプログラムにおいて、
地図情報を格納する記憶手段を備え、
前記検索結果を、前記要求元の端末に送信するにあたり、検索された携帯無線端末の位置を、携帯無線端末が存在する位置に対応する地図情報と合成して送信する処理を、前記コンピュータに実行させるプログラム。
【請求項２６】
請求項２３記載のプログラムにおいて、
前記検索結果を、前記要求元の端末に送信するにあたり、検索結果の携帯無線端末を、地名、場所名情報とともに送信する処理を前記コンピュータに実行させるプログラム。
【請求項２７】
請求項２３記載のプログラムにおいて、
前記制御信号を受信して映像を送信できる状態にあるカメラ付き携帯無線端末を搭載した移動体の現在位置を、要求元の端末に送信する処理を前記コンピュータに実行させるプログラム。
【請求項２８】
撮影した映像を記録及び送信するカメラ部を備えた携帯無線端末を構成するコンピュータに、
前記携帯無線端末を収容するホルダに装着されたか否かを検出し、前記ホルダへの装着が検出されている状態で、映像送受信システムから無線基地局を介して送信される所定の制御信号を受信すると、前記カメラ部で撮影した映像を、指定された端末宛てに送信するように制御する処理を実行させるプログラム。
【請求項２９】
コンテンツを閲覧する機能を具備し、請求項１７乃至２２のいずれか一に記載の映像送受信サーバ装置と通信接続し、映像情報の要求元の端末として機能する携帯無線端末。
【発明の詳細な説明】
【技術分野】
【０００１】
本発明は、移動体に搭載される撮像装置による映像送受信技術に関し、特に、カメラ付き携帯無線端末を用いた映像情報配信システム及び方法と装置並びにプログラムに関する。
【背景技術】
【０００２】
車両等の移動体の周囲の状況を撮像するシステムとして、車両等移動体に搭載された撮像装置により、任意の場所の画像情報を容易に取得できるようにしたシステムが従来より知られている（例えば特許文献１参照）。このシステムによれば、車両の運転者が自分が運転する経路上の地点で、どのような状況になっているか知りたい場合、情報センターにアクセスして撮像依頼位置を入力し、情報センターでは入力された撮像依頼位置から、所定の距離内に存在する移動体を検索し、検索された移動体に対して、撮像依頼位置での撮像を指示し、撮像された画像を依頼主に送信することで閲覧可能とした構成とされている。すなわち、事前に撮像依頼位置を指定し、しばらく後に、その地点を撮像装置を搭載した移動体が通行する際に、周囲の状況を撮影し、それを閲覧する、というものである。
【０００３】
移動体端末が進む進路上の所望の位置の様子を容易に取得可能とするシステム及び方法として、情報要求端末は、位置情報を含む要求情報を基地局に送信し、要求情報に応じた画像情報を基地局から受信し、この基地局は、要求情報に含まれる位置情報に応じて情報提供候補端末から情報提供端末を検索し、その情報提供端末に画像情報を送信させ、情報提供端末は、基地局からの要求に応じて、例えばビデオカメラにより画像情報を取得して基地局に返信し、その後、基地局は、その画像情報を、要求を発した情報要求端末に送信する構成が知られている（例えば特許文献２参照）。
【０００４】
さらに、携帯電話を接続ボックスにセットすると、動作制御部は、ＣＣＤカメラ（携帯電話とは別に配設される）に逐次外部環境の画像を撮像するように指示し、画像データを接続ボックス内のデータ保存部に保存する。衝撃センサー等により事故を検知した際、携帯電話から、データ記録センタを呼び出して、データ保存部に保存されている画像データを送信する構成も知られている（例えば特許文献３）。
【０００５】
近時、携帯電話機等の無線端末には、ＣＣＤカメラを搭載したものが普及し、なかには、メガピクセル（百万画素）対応のものや、テレビ電話機能等、動画像配信機能を具備したものも市販されている。また、ＣＣＤカメラ等で撮像した映像情報を受けるストリーミングエンコーダで符号化される画像符号化データ（例えばリアルタイム転送プロトコルＲＴＰ（Real-Time Transport Protocol）／ＲＴＳＰ（Real Time Streaming Protocol）等で転送される）等を、例えば３Ｇ−３２４Ｍ（ＮＴＴドコモ）ゲートウエイを介して移動体通信網の携帯無線端末（コーデックを具備する）にストリーム配信する動画像配信技術等も知られている。
【０００６】
【特許文献１】特開２００３−１９８９０５号公報（第４−５頁、第１図）
【特許文献２】特開２００１−３３９３３４号公報（第１０図、第１図）
【特許文献３】特開２００２−１６６８０３号公報（第４−５図、第３図）
【発明の開示】
【発明が解決しようとする課題】
【０００７】
しかしながら、上記特許文献１、２等の従来のシステムによれば、撮像依頼位置の近辺に、撮像装置を搭載した車両（移動体）がいるかどうかがわからない。そして、撮像依頼位置から所定の距離内に存在する移動体が検索できなければ、サーバは撮像を指示できない。このため、要求元の端末では、所望の映像が、いつ入手できるかわからない。
【０００８】
したがって、本発明は、車両に専用の撮影機器や、面倒な設置作業、設定作業を不要とし、必要とする情報が容易に取得できるシステム及び方法と装置ならびにコンピュータ・プログラムを提供することにある。
【課題を解決するための手段】
【０００９】
前記目的を達成するため、本願で開示される発明は概略以下のように構成される。
【００１０】
本発明の１つの側面（アスペクト）の方法は、映像情報を要求するユーザの端末（「要求元の端末」という）から、映像送受信システムにアクセスして検索対象の地域を指定するステップと、
前記映像送受信システムは、前記検索対象の指定地域にある、移動体に搭載されるカメラ付き携帯無線端末を検索し、検索結果を、前記要求元の端末に送信するステップと、
前記要求元の端末は、前記映像送受信システムから送信された検索結果の中からカメラ付き携帯無線端末を選択するステップと、
前記映像送受信システムは、前記要求元の端末で選択された前記カメラ付き携帯無線端末に対して制御信号を送信するステップと、
前記映像送受信システムからの前記制御信号を受け取った前記カメラ付き携帯無線端末が、前記要求元の端末に対して、前記カメラ付き携帯無線端末のカメラで撮影される映像情報を送信するステップと、
を含む。
【００１１】
本発明において、前記映像送受信システムは、検索結果を、前記要求元の端末に送信するにあたり、検索結果のカメラ付き携帯無線端末を、地図情報と合成して送信するようにしてもよい。
【００１２】
本発明において、前記映像送受信システムは、検索結果を、前記要求元の端末に送信するにあたり、検索結果のカメラ付き携帯無線端末を、地名、場所名情報とともに送信し、前記要求元の端末は、前記映像送受信システムから送信された検索結果を表示画面に表示するようにしてもよい。
【００１３】
本発明において、前記映像送受信システムは、前記映像送受信システムからの撮影開始制御信号を受信して映像を送信できる状態にあるカメラ付き携帯無線端末を搭載した車両の現在位置を、要求元の端末に送信するようにしてもよい。
【００１４】
本発明において、電源供給機能を備えたホルダに、前記カメラ付き携帯端末が設置されると、前記カメラ付き携帯端末が、前記ホルダに装着されていることを検出し、前記映像送受信システムからの制御信号を受信して、要求元の端末に映像を送信するようにしてもよい。
【００１５】
本発明の他の側面（アスペクト）の端末は、撮影した映像を記録及び送信するカメラ部と、携帯無線端末を収容するホルダに装着されたか否かを検出する検出手段と、前記ホルダへの装着が検出されている状態で、映像送受信システムから無線基地局を介して送信される所定の制御信号を受信すると、前記カメラ部で撮影した映像を指定された端末宛てに送信するように制御する制御手段と、を備えている。
【００１６】
本発明のさらに他の側面（アスペクト）のシステムは、それぞれが、カメラを具備し、撮影した映像を記録及び送信する機能を備えた１つ又は複数のカメラ付き携帯無線端末と、映像情報を要求し、受信した映像情報を表示部に表示する少なくとも１つの端末（「要求元の端末」という）と、前記端末及び前記カメラ付き携帯無線端末とそれぞれ無線通信する複数の基地局を含む移動体通信網を介して通信接続する映像送受信システムと、を備え、前記映像情報を要求するユーザは前記端末から、前記映像送受信システムにアクセスして検索対象の指定地域を入力し、前記映像送受信システムは、前記検索対象の指定地域にあり、移動体に搭載される前記カメラ付き携帯無線端末を検索し、検索結果を、前記要求元の端末に送信する手段と、前記要求元の端末で選択された前記カメラ付き携帯無線端末に対して、制御信号を送信し、前記カメラ付き携帯無線端末に対して、前記要求元の端末への映像情報の送信を指示する制御を行う手段と、を備え、前記カメラ付き携帯無線端末で撮影した映像が前記要求元の端末に送信される。
【００１７】
本発明のさらに他の側面（アスペクト）に係るサーバ装置は、カメラを具備し、撮影した映像を記録及び送信する機能を備えた１つ又は複数のカメラ付き携帯無線端末と、表示部を備え、映像情報を要求するユーザが所持する少なくとも１つの端末（「要求元の端末」という）と、それぞれ無線リンクで通信する複数の基地局を含む移動体通信網を介して通信接続する映像送受信サーバ装置であって、前記映像情報を要求するユーザの前記携帯無線端末から入力された検索対象の指定地域を受け取り、前記検索対象の指定地域にあり、車両に搭載されるカメラ付き携帯無線端末を検索する手段と、前記検索結果を、前記要求元の端末に送信する手段と、前記要求元の端末で選択された前記カメラ付き携帯無線端末に対して、制御信号を送信して、前記カメラ付き携帯無線端末に前記要求元の携帯無線端末に映像情報を送信させるように制御する手段と、を備えている。
【００１８】
本発明において、前記カメラ付き携帯無線端末から送信される位置情報を受信し、前記カメラ付き携帯無線端末の位置情報として記憶管理する記憶手段を備えた構成としてもよい。
【００１９】
本発明において、地図情報を格納する記憶手段を備え、前記検索結果を、前記要求元の携帯無線端末に送信するにあたり、検索された携帯無線端末の位置を、携帯無線端末が存在する位置に対応する地図情報と合成して送信する手段を備えた構成としてもよい。
【００２０】
本発明において、前記検索結果を、前記要求元の携帯無線端末に送信するにあたり、検索結果の携帯無線端末を、地名、場所名情報とともに送信する手段を備えた構成としてもよい。
【００２１】
本発明において、前記映像送受信システムからの制御信号を受信して映像を送信できる状態にあるカメラ付き携帯無線端末を搭載した車両の現在位置を、要求元の端末に送信する構成としてもよい。
【００２２】
本発明の他の側面（アスペクト）に係るコンピュータ・プログラムは、カメラを具備し、撮影した映像を記録及び送信する機能を備えた１つ又は複数のカメラ付き携帯無線端末と、表示部を備え、映像情報を要求するユーザが所持する少なくとも１つの端末と、それぞれ無線リンクで通信する基地局を含む移動体通信網を介して通信接続する映像送受信サーバ装置を構成するコンピュータに、前記映像情報を要求するユーザの前記携帯無線端末から入力された検索対象の指定地域を受信し、前記検索対象の指定地域にあり、移動体に搭載されるカメラ付き携帯無線端末を検索する処理と、検索結果を、前記要求元の端末に送信する処理と、前記要求元の端末で選択された前記カメラ付き携帯無線端末に対して、制御信号を送信して、前記カメラ付き携帯無線端末に前記要求元の端末に映像情報を送信させるように制御する処理と、を実行させるプログラムよりなる。
【００２３】
本発明の他の側面（アスペクト）に係るコンピュータ・プログラムは、撮影した映像を記録及び送信するカメラ部を備えた携帯無線端末を構成するコンピュータに、前記携帯無線端末を収容するホルダに装着されたか否かを検出し、前記ホルダへの装着が検出されている状態で、映像送受信システムから無線基地局を介して送信される所定の制御信号を受信すると、前記カメラ部で撮影した映像を、指定された端末宛てに送信するように制御する処理を実行させるプログラムよりなる。
【発明の効果】
【００２４】
本発明によれば、渋滞状況、路面状況等、ユーザが所望する映像を送って欲しい端末をユーザ側で任意に選択することができ、選択の結果、端末からの映像をリアルタイムで見ることができる。
【００２５】
また、本発明によれば、撮像装置には一般に使用されるカメラ付き携帯端末を利用し、車両内のホルダに置くだけでよく、専用の撮影機器や設置する度の面倒な設置作業や設定を必要とせず、操作性を向上し、負担が軽減される。
【００２６】
さらに、本発明によれば、携帯無線端末を車両のホルダに取り付けている間、画像の送信モードでない間、撮影した画像データの録画を行い、事故等に遭った場合に、状況を記録保存し、事故原因の調査に役立てることができる。
【発明を実施するための最良の形態】
【００２７】
本発明について詳細に説述すべく添付図面を参照して以下に説明する。本発明の一実施形態に係るシステムは、カメラ付き携帯無線端末を、車載カメラとして利用している。カメラ付き携帯無線端末は、移動体としての車両の例えばダッシュボード上に取り付けられたホルダ（図２の２４）に置かれる。カメラ付き携帯無線端末（図２の２１）は、ホルダ（図２の２４）に装着されると、これを検出し、映像送受信システム（サーバ）からの撮影制御信号を受信するモードとなる。すなわち、カメラ付き携帯無線端末は、ホルダへの装着を検出すると、検出信号に基づき、撮影及び記録動作を開始するように制御してもよいし、ホルダへの装着を検出すると、撮影可状態となり、映像送受信システム（サーバ）からの制御信号を受信して、撮影を開始するようにしてもよい。カメラ付き携帯無線端末は、映像送受信システム（サーバ）からの制御信号を受け取り、映像情報を、他の携帯無線端末に送信するように、自動で切替制御される。
【００２８】
上記の通り、本実施形態によれば、専用の撮影機器や設置する度の面倒な設置作業や設定を必要としない。
【００２９】
一の携帯無線端末のユーザが、該ユーザが所望する映像情報の配信を受けるには、該一の携帯無線端末から、映像送受信システム（サーバ）にアクセスして指定地域（エリア）を指定し、映像送受信システム（サーバ）で検索されたカメラ付き携帯無線端末から、該一の携帯無線端末のユーザが、映像を見たい場所の近くにいるカメラ付き携帯無線端末を選択し、映像送受信システム（サーバ）に通知する。映像送受信システム（サーバ）は、撮影制御信号を、指定されたカメラ付き携帯無線端末に送信し、指定されたカメラ付き携帯無線端末が撮影している映像を、一の携帯無線端末へ送信させ、一の携帯無線端末では、該映像を受信し、表示装置に表示することで、ユーザは、指定されたカメラ付き携帯無線端末で撮影された映像を、リアルタイムで見ることができる。
【実施例】
【００３０】
以下実施例に即して説明する。図１は、本発明の一実施例のシステム構成の一例を示す図である。図１において、携帯端末Ａ２は、基地局Ａ５の通信可能エリアに位置し、携帯端末Ｂ３、Ｃ４は、基地局Ｂ６のエリア内に存在する。なお、複数の基地局（無線基地局）は、図示されない基地局制御局を介してルーティング網をなす交換局に接続されゲートウェイを介して電話網・インターネット網に接続される。
【００３１】
携帯端末は、基地局、測位衛星１（ＧＰＳ（Global  Positioning  System）衛星）等を利用して、現在位置を測位し、映像送受信システム８へ、各自の現在位置を通知する。測位衛星１（ＧＰＳ衛星）は、米国国防省があげた静止衛星（２４個）よりなり、ＧＰＳ受信装置を具備した端末は、４個の衛星からの電波を受信し、それぞれの衛星との距離を計算し、経度、緯度、高さと時間が特定可能とされる。
【００３２】
携帯端末Ａ２は、
・映像を送って欲しい携帯端末（携帯無線端末）を検索する機能、
・検索された携帯端末のうちから少なくとも１つの携帯端末を選択する機能、
・選択された携帯端末から、公衆電話携帯網７を介して映像情報（例えば動画像）を受信する機能、
を有する。
【００３３】
図２は、本実施例において、車両内でのカメラ付き携帯無線端末の設置を説明するための図である。図２を参照すると、カメラ付き携帯無線端末２１を設置する車両（例えば自家用車、タクシー、トラック等の移動体）には、ホルダ２４が設けられている。
【００３４】
カメラ付き無線携帯端末２１（例えば図１の携帯端末Ｂ３）は、ホルダ２４に装着状態であるか否かを検出するホルダ取り付け検出部２３と、画像（動画）を撮影するカメラ（ＣＣＤカメラ）部２２と、映像送受信システム（サーバ）８から送信され基地局を介して無線送信される制御信号を受信し、カメラ部２２による撮影開始の制御、及び、撮影した動画像を、基地局、公衆電話携帯網７を介して、要求元の携帯端末Ａ２へ送信する機能を有する。なお、カメラ付き携帯無線端末２１は、映像送受信システム８と、移動体通信網を介したデータ通信にて制御信号等の送受信を行い、映像送受信システム８から送信される制御信号に対して自動応答するモードに設定され、制御信号を自動で受信し、該制御信号の内容（コマンド）に対応した制御動作を行う。例えば、カメラ付き携帯無線端末２１が、映像送受信システム８から送信される制御信号に応じて撮影した映像情報を移動体通信網を介して他の端末に送信する等の処理は、カメラ付き携帯無線端末２１内のＣＰＵ（不図示）で実行される制御プログラムにより実現され、カメラ付き携帯無線端末２１の所持者（例えば運転席のユーザ）がマニュアルで設定動作を行わなくてもよい構成とされている。
【００３５】
カメラ付き携帯無線端末２１は、ホルダ２４に、そのカメラ部２２が、運転席から見て例えば正面（車両前方）を向くように配設され、図示されないカーバッテリーから、車載電源接続プラグ２５を介して、カメラ付き携帯無線端末２１に、ＤＣ電源が供給される。
【００３６】
携帯端末Ｃ４は、携帯端末Ｂ３と、同一構成の携帯端末であり、携帯端末Ｂ３と同様に携帯端末ホルダ２４に設置されている。
【００３７】
再び、図１を参照すると、映像送受信システム８（サーバ装置）は、携帯端末からの映像要求信号を受信する映像要求信号受信手段９と、車載カメラ付き携帯無線端末（携帯端末Ｂ３又はＣ４）に撮影を行わせるように制御する撮影制御手段１３と、携帯端末Ａ２、Ｂ３、Ｃ４から位置情報（ＧＰＳによる測位情報）を受信して、移動端末データベース１４へ登録する手段と、位置情報から、地名などを検索する指定地域内端末検索手段１０と、地図データベース１５の地図情報と、携帯無線端末を搭載した車両の位置情報と合成したデータを生成する地図情報合成手段１１と、これらの情報を、携帯端末Ａ２へ送出する指定地域内端末情報送出手段１２と、を有する。
【００３８】
移動端末データベース１４には、映像送受信システム８の撮影制御手段１３からの撮影開始の制御信号を受信して映像を送信できる状態にあるカメラ付き携帯無線端末を搭載した車両の現在位置が登録される。映像の送信が不可のカメラ付き携帯無線端末については、その旨が属性情報として、移動端末データベース１４に設定される。このため、映像送受信システム８は、移動端末データベース１４に登録されている検索対象の地域のカメラ付き携帯無線端末の中から、映像を送信できる状態にあるカメラ付き携帯無線端末の現在位置を、要求元の携帯端末Ａ２に送信することができる。
【００３９】
映像送受信システム８（サーバ装置）の上記各手段は、サーバ装置を構成するコンピュータで実行されるプログラムによりその機能が実現される。
【００４０】
なお、携帯端末は、待ち受け中、基地局側から送信される位置情報が、自装置内部に記憶されている位置情報と異なっている場合、携帯端末は位置登録要求を行い、位置情報を、基地局、交換機を介してローケーションレジスタ（ＬＲ）に登録する処理が行われる。本実施例では、携帯端末でのＧＰＳによる測位情報が、映像送受信システム８内の移動端末データベース１４に登録されるが、本発明を例えば移動体通信の通信事業者（キャリア）が提供するサービスの一環として適用する場合には、携帯端末の検索等に用いられる情報として、ローケーションレジスタ（ＬＲ）の位置情報を、併せて用いてもよいことは勿論である。
【００４１】
なお、所定の簡易ブラウザ機能を具備した登録会員の携帯端末Ａ２のメニュー画面からの選択により、映像送受信システム（サーバ）８へのアクセスが行われる。検索対象とする携帯端末（撮影した画像情報を、携帯端末Ａに送信する携帯端末）も、映像送受信システム８からの制御信号を受けて、これに応答し、撮影モードから画像送信モードに強制的に切り替える等の制御を行い、さらに、携帯端末Ｂ３、携帯端末Ｃ４は、各自の位置情報（ＧＰＳによる測位情報）を映像送受信システム（サーバ）８に、適時送信するのであることから、携帯端末Ｂ３、携帯端末Ｃ４は、撮影情報の転送を事前に承諾したユーザ、あるいは登録会員の携帯端末とすることが好ましい。
【００４２】
携帯端末Ｂ３のユーザは、携帯端末Ｂ３を、車両内のダッシュボードのホルダ２４（図２参照）に設置する。ホルダ２４は、カメラ部２２が走行方向正面を向いた状態に設置できるよう配設される。携帯端末Ｂ３がホルダ２４に設置され、車載電源接続プラグ２５を介してＤＣ電源が供給されると、携帯端末Ｂ３のホルダ取り付け検出部２３がホルダ装着状態を検出し、内部制御信号を生成して、カメラ部２２に送信し、カメラ部２２は、撮影を開始し、携帯端末Ｂ３内の画像メモリ（不図示）に記録する。あるいは、別の制御の仕方として、携帯端末Ｂ３のホルダ取り付け検出部２３がホルダ装着状態を検出した状態で、撮影可状態となり、映像送受信システム（サーバ）８からの撮影開始制御信号（コマンド）を受けて、撮影を開始する制御を行ってもよい。
【００４３】
携帯端末Ｂ３は、ホルダ２４に装着された状態で、映像送受信システム８から基地局を介して無線送信される撮影制御信号を受信すると、撮影している動画を送信するモードに切り替える。
【００４４】
携帯端末Ｂ３は、筐体の外側面のＬＥＤ（Light  Emitting  Diode）などで、映像送受信システム８の制御のもと、画像を撮影中、画像データを送信中であることを示す表示をする構成としてもよい。
【００４５】
携帯端末Ｂ３は、映像送受信システム８の制御下にあっても、携帯端末Ｂ３の所有者（ユーザ）が、携帯端末を使用する場合には、該所有者の選択が優先されることは、勿論である。また、携帯端末Ｂ３が、ホルダ２４に装着されていず、また映像信号が送信可でない場合には、映像送受信システム８による移動端末データベース１４の検索の結果、候補とはならない。また携帯端末Ｂ３は、検索の結果、映像情報を送信する端末の候補となったのち、送信可でない状態に遷移した場合には、映像送受信システム８からの制御信号に対する応答信号で、送信不可の通知を返す等の更新制御が適宜行われる。
【００４６】
映像情報の録画モード、送信モードの切り替えの可／不可は、携帯端末Ｂ３のユーザが、予め設定可能とされる。記録する映像情報（動画像データ）が、携帯端末Ｂ３の画像メモリ（不図示）の容量を超えた場合にも、撮影を停止せず、例えば画像メモリの先頭から書き込み、前の画像データを、順次、上書きする構成とされる。
【００４７】
図３は、本発明の一実施例の処理手順を示す流れ図である。図１乃至図３を参照して、以下、本実施例の動作手順を説明する。ブラウザ機能を具備する携帯端末Ａ２のユーザが、任意の道路の交通状況、天候、路面状態などを知りたいときに、携帯端末Ａ２から映像送受信システム８のＵＲＬＲ（Uniform  Resource  Locator）情報を指定する等して映像送受信システム８のサイトにアクセスし、携帯端末Ａ２の表示画面から所望の地域を指定入力する（図３のステップＳ１）。
【００４８】
地域、エリアの指定方法は、例として、
・携帯端末Ａ２を中心とした半径何ｋｍ以内、
・指定の地名の場所を中心とした半径何ｋｍ以内、
・携帯端末の画面に地図を表示させ、地図上の指定場所から半径何ｋｍ以内、
・都道府県名、市町村名、道路名、
などが挙げられる。
【００４９】
映像送受信システム８は、指定地域内に存在する携帯端末の検索を行う（図３のステップＳ２）。前述したように、映像送受信システム８では、移動端末データベース１４の情報を参照して、指定地域内に存在する携帯端末のうち、撮影した映像情報を送信することが可能な携帯端末の検索が行われる。
【００５０】
映像送受信システム８は、検索結果を、携帯端末Ａ２に送信する（図３のステップＳ３）。その際、指定地域内に存在する携帯端末の検索結果は、地図データベース１５の地図情報と合成され、検索要求元である携帯端末Ａ２へ送出される。
【００５１】
映像送受信システム８から検索結果を受信した携帯端末Ａ２の表示装置の画面には、指定地域の地図情報が表示され、さらに、地図上に検索された携帯端末の位置が、地図上の対応する箇所に、所定の印で表示される。
【００５２】
また、携帯端末Ａ２での表示の仕方は、地図上に、携帯端末の位置をマークするかわりに、地名（文字情報）であってもよく、映像送受信システム８は、携帯端末Ｂ３の現在位置と、地図データベース１５とを照合して、例えば「○○高速××Ｉ．Ｃ.付近」のように、文字情報で携帯端末Ａ２の表示装置に表示するようにしてもよい。あるいは、音声ガイダンスで通知するようにしてもよい。
【００５３】
携帯端末Ａ２のユーザは、携帯端末Ａ２の表示画面に表示された検索結果の携帯端末の中から、映像を見たい場所に、最も近い場所にいる携帯端末を選択する（図３のステップＳ４）。この選択は、携帯端末Ａ２の表示画面上に表示される携帯端末の中から、カーソルで位置決めして選択するか、あるいは、候補携帯端末の番号等を数字で選択してもよい。ここでは、携帯端末Ａ２のユーザは、携帯端末Ａ２上で、携帯端末Ｂ３を選択したものとする。携帯端末Ａ２での選択情報は、映像送受信システム８に送信され、映像送受信システム８に対して、携帯端末Ｂ３からの映像の送信を要求する。
【００５４】
映像送受信システム８は、携帯端末Ａ２から、映像送信要求を受けると、選択された携帯端末Ｂ３に対して、撮影している映像情報を、携帯端末Ａ２へ送信させるように指示する制御信号を送信する（図３のステップＳ５）。
【００５５】
選択された携帯端末Ｂ３は、映像送受信システム８から撮影制御信号を受信すると、携帯端末Ａ２に対して、現在撮影中の映像の送信を開始する（図３のステップＳ６）。撮影された映像情報（動画像データ）は、携帯端末Ａ２にリアルタイムで伝送され、携帯端末Ａ２の表示画面にリアルタイムで表示される。
【００５６】
映像情報の送信を開始した携帯端末Ｂ３は、映像送受信システム８からの制御信号を受けて、映像情報（動画像データ）の送信を停止させる構成としてもよい。あるいは、携帯端末Ａ２からの指示により携帯端末Ｂ３が映像情報の送信を停止させてもよいし、携帯端末Ｂ３からの映像情報（動画像データ）の送信は、予め定められた一定時間とし、一定時間送信したのち携帯端末Ｂ３側で、自動停止させる構成としてもよい。
【００５７】
携帯端末Ｂ３から、映像送受信システム（サーバ）８に、映像情報（動画像データ）を一旦、転送し、映像送受信システム８から映像情報（動画像データ）を、移動体通信網を介してストリーム配信する構成としてもよい。この場合、映像送受信システム８から、例えばマルチキャスト、ブロードキャストにより、複数の携帯端末に映像情報を配信するようにしてもよい。なお、必ずしも、リアルタイム性を欲しないユーザには、携帯端末Ｂ３で撮影された映像情報を、電子メールで、携帯端末Ａ２に送信するようにしてもよい。さらに、静止画像を望むユーザには、静止画像を配信するようにオプションを設定してもよい。
【００５８】
携帯端末Ａ２のユーザは、携帯端末Ｂ３から送信される映像を閲覧して、道路の渋滞状況などを入手し、目的地への経路選択に役立てることができる。
【００５９】
本実施例によれば、映像の撮影、送信に協力した携帯端末のユーザ（加入者）に対しては、ポイント計上などの方法によって、各種割引を受けられるようにすることで、協力が得やすくなり、映像要求者の所望の場所に、映像提供者が存在する可能性をより高めることができる。
【００６０】
なお、携帯端末Ａ２、携帯端末Ｂ３等と、基地局５、６、公衆電話携帯網７を介した映像送受信システム８との制御信号、画像データの送受は、移動体データ通信（パケット通信）により行われる。
【００６１】
本発明の別の実施例として、動画撮影機能を有する携帯端末Ｂ３を、図２のカメラ部２２が運転席から見て正面を向いた状態に設置できるよう配設されたホルダ２４に設置し、携帯端末Ｂ３は、ホルダ２４に設置され、車載電源接続プラグ２５を介して電源が供給されていることを検出すると、カメラ部２２による撮影を開始し、携帯端末Ｂ３内部のメモリに記録し、この状態で、受話器のマイクロホンが自動車の衝突音を感知するか、あるいは、ホルダ２４内に設けられた衝撃センサが所定レベル以上の衝撃を検出した場合、予め設定された時間が経過した後に録画を停止し、映像データをメモリ（フラッシュメモリ等）に保存する。これにより、走行中に遭遇した自動車事故等の事故発生時の映像を記録することができ、事故状況などの調査や原因の解析に役立てることができるようにしてもよい。
【００６２】
以上本発明を上記実施例に即して説明したが、本発明は、上記実施例の構成にのみ限定されるものでなく、特許請求の範囲の請求項発明の範囲内で当業者であればなし得るであろう各種変形、修正を含むことは勿論である。例えば、図１の携帯端末Ａ２は、インターネット接続機能、ブラウザ機能、ＧＰＳ受信機能を備えた携帯電話機等であってもよいし、インターネット接続機能、ブラウザ機能を具備したカーナビゲーション端末であってもよい。
【図面の簡単な説明】
【００６３】
【図１】本発明の一実施例のシステムの全体の構成を示す図である。
【図２】カメラ付き携帯端末と車載用ホルダの構成の一例を模式的に示す図である。
【図３】本発明の一実施例のシステムの処理手順の一例を示す流れ図である。
【符号の説明】
【００６４】
１  測位衛星  
２、３、４  携帯端末
５、６  基地局
７  公衆電話携帯網（移動体パケット通信網＋公衆網）
８  映像送受信システム
９  映像要求信号受信手段
１０  指定地域内端末検索手段
１１  地図情報合成手段
１２  指定地域内端末情報送出手段
１３  撮影制御手段
１４  移動端末データベース
１５  地図データベース
２１  カメラ付き携帯無線端末
２２  カメラ部
２３  ホルダ取り付け検出部
２４  ホルダ
２５  車載電源接続プラグ
【図１】
2005173784.tif 000003
【図２】
2005173784.tif 000004
【図３】
2005173784.tif 000005